(57)【要約】  【課題】  従来の弾性表面波フィルタでは、広帯域な特性を持つような良好なフィルタ特性を実現するには限界がある。  【解決手段】  圧電基板１０１と、圧電基板１０１上に配置された、入力用ＩＤＴ電極１０３及び１０４と、圧電基板１０１上に配置された、出力用ＩＤＴ電極１０２とを備え、入力用ＩＤＴ電極１０３及び１０４の電極指のピッチと出力用ＩＤＴ電極１０２の電極指のピッチとが異なっており、入力用ＩＤＴ電極１０３及び１０４の放射特性のピーク周波数は、出力用ＩＤＴ電極１０２の放射特性のピーク周波数と実質上等しい弾性表面波フィルタである。【選択図】  図１
2004336824.tif 000002
【特許請求の範囲】
【請求項１】
圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝搬経路に沿って配置された縦モード型弾性表面波フィルタであって、
前記入力用ＩＤＴ電極の放射特性のピーク周波数は、前記出力用ＩＤＴ電極の放射特性のピーク周波数と実質上等しい弾性表面波フィルタ。
【請求項２】
前記入力用ＩＤＴ電極の複数の電極指のピッチのうちで電極指の本数が最も多い電極指のピッチを有する部分のメタライゼーションレシオは、前記出力用ＩＤＴ電極の複数の電極指のピッチのうちで電極指の本数が最も多い電極指のピッチを有する部分のメタライゼーションレシオとが異なっている請求項１記載の弾性表面波フィルタ。
【請求項３】
前記入力用ＩＤＴ電極と前記出力用ＩＤＴ電極の電極膜厚が互いに異なっている請求項１記載の弾性表面波フィルタ。
【請求項４】
前記入力用ＩＤＴ電極と前記出力用ＩＤＴ電極の電極材料が互いに異なっている請求項１記載の弾性表面波フィルタ。
【請求項５】
前記入力用ＩＤＴ電極と前記出力用ＩＤＴ電極のピッチが互いに異なっている請求項２から４のいずれかに記載の弾性表面波フィルタ。
【発明の詳細な説明】
【技術分野】
【０００１】
本発明は、縦モード型の弾性表面波フィルタに関するものである。
【背景技術】
【０００２】
近年、弾性表面波フィルタは移動体通信機器に広く用いられている。ＲＦ段のフィルタとしては、縦モード型やラダー型の弾性表面波フィルタが用いられる。携帯電話端末などの通信機器の高性能化に伴い、弾性表面波フィルタの低ロス化、高減衰化の要求が強まっている。
【０００３】
以下、従来の縦モード型の弾性表面波フィルタについて説明する。
【０００４】
図１２に従来の縦モード型の弾性表面波フィルタの構成を示す。図１２において、弾性表面波フィルタは、圧電基板８０１上に、第１、第２、第３のＩＤＴ（インターディジタルトランスデューサ）電極８０２、８０３、８０４と第１、第２の反射器電極８０５、８０６とにより構成される。第２、第３のＩＤＴ電極８０３、８０４の上側の電極指は、それぞれ入力端子ＩＮに接続されており、第２、第３のＩＤＴ電極８０３、８０４の下側の電極指はそれぞれ接地されている。また、第１のＩＤＴ電極８０２の下側の電極指は出力端子ＯＵＴに接続されており、第１のＩＤＴ電極８０２の上側の電極指は接地されている。また、第１、第２、第３のＩＤＴ電極８０２、８０３、８０４の電極指の図１２のＰで示す部分である中心間隔（以下、ピッチと呼ぶ）は、それぞれ同じ大きさである。以上の構成とすることにより縦モード型の弾性表面波フィルタが得られる。
【０００５】
上述の弾性表面波フィルタにおいては、第１、第２、第３のＩＤＴ電極８０２、８０３、８０４内での弾性表面波の音速が等しくなるように同一ピッチで電極指が配置されている。しかしながら、帯域幅やインピーダンスの設計の観点から、第１のＩＤＴ電極８０２と第２及び第３のＩＤＴ電極８０３、８０４とは電極指の本数が異なる場合が多い。通常第１のＩＤＴ電極８０２の電極指の本数は第２、第３のＩＤＴ電極８０３、８０４の電極指の本数より多くなるように設計されている。
【０００６】
また、低ロス化を実現するなどの目的で、図１３に示すように一つのＩＤＴ電極の各電極指のピッチが異なるように設計された縦モード型の弾性表面波フィルタも用いられている。すなわち、図１３は、従来の縦モード型の弾性表面波フィルタであって、一つのＩＤＴ電極に異なる電極指ピッチが含まれるように設計されたものである。
【０００７】
図１３において、弾性表面波フィルタは、圧電基板１２０１上に、第１、第２、第３のＩＤＴ電極１２０２、１２０３、１２０４と第１、第２の反射器電極１２０５、１２０６とにより構成される。第２、第３のＩＤＴ電極１２０３、１２０４の上側の電極指は、それぞれ入力端子ＩＮに接続されており、第２、第３のＩＤＴ電極１２０３、１２０４の下側の電極指はそれぞれ接地されている。また、第１のＩＤＴ電極１２０２の下側の電極指は出力端子ＯＵＴに接続されており、第１のＩＤＴ電極１２０２の上側の電極指は接地されている。
【０００８】
また、図１３において、第１のＩＤＴ電極１２０２の１ａで示す領域のピッチをＰとすると、Ｐは１／２波長の長さである。また、１ｂで示す領域のピッチをＰ’とすると、Ｐ’は１／２波長より狭い。第２のＩＤＴ電極１２０３の２ａで示す領域のピッチはＰであり、Ｐは１／２波長の長さである。また、２ｂで示す領域のピッチはＰ’であり、Ｐ’は１／２波長より狭い。同様に第３のＩＤＴ電極１２０４の３ａで示す領域のピッチはＰであり、Ｐは１／２波長の長さである。また３ｂで示す領域のピッチはＰ’であり、Ｐ’は１／２波長より狭い長さである。
【０００９】
このように第１のＩＤＴ電極１２０２、第２のＩＤＴ電極１２０３、第３のＩＤＴ電極１２０４のそれぞれは、同じＩＤＴ電極内において電極指のピッチが異なっている。
【００１０】
図１３においても、帯域幅やインピーダンスの設計の観点から、第１のＩＤＴ電極１２０２と第２及び第３のＩＤＴ電極１２０３、１２０４とは電極指の本数が異なる場合が多い。通常第１のＩＤＴ電極１２０２の電極指の本数は第２、第３のＩＤＴ電極１２０３、１２０４の電極指の本数より多くなるように設計されている。
【発明の開示】
【発明が解決しようとする課題】
【００１１】
しかしながら、このような弾性表面波フィルタでは、広帯域な特性を持つような良好なフィルタ特性を実現するには限界があるという課題がある。
【００１２】
本発明は、上記課題を考慮し、さらに広帯域でかつ帯域外では急峻な減衰特性を有する弾性表面波フィルタを提供することを目的とするものである。
【課題を解決するための手段】
【００１３】
上述した課題を解決するために、第１の本発明は、圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝搬経路に沿って配置された縦モード型弾性表面波フィルタであって、
前記入力用ＩＤＴ電極の放射特性のピーク周波数は、前記出力用ＩＤＴ電極の放射特性のピーク周波数と実質上等しい弾性表面波フィルタである。
【００１４】
また、第２の本発明は、前記入力用ＩＤＴ電極の複数の電極指のピッチのうちで電極指の本数が最も多い電極指のピッチを有する部分のメタライゼーションレシオは、前記出力用ＩＤＴ電極の複数の電極指のピッチのうちで電極指の本数が最も多い電極指のピッチを有する部分のメタライゼーションレシオとが異なっている第１の本発明の弾性表面波フィルタである。
【００１５】
また、第３の本発明は、前記入力用ＩＤＴ電極と前記出力用ＩＤＴ電極の電極膜厚が互いに異なっている第１の本発明の弾性表面波フィルタである。
【００１６】
また、第４の本発明は、前記入力用ＩＤＴ電極と前記出力用ＩＤＴ電極の電極材料が互いに異なっている第１の本発明の弾性表面波フィルタである。
【００１７】
また、第５の本発明は、前記入力用ＩＤＴ電極と前記出力用ＩＤＴ電極のピッチが互いに異なっている第２から４の本発明のいずれかの弾性表面波フィルタである。
【発明の効果】
【００１８】
以上説明したところから明らかなように、本発明は、さらに広帯域でかつ帯域外では急峻な減衰特性を有する弾性表面波フィルタを提供することが出来る。
【発明を実施するための最良の形態】
【００１９】
以下に、本発明の実施の形態を図面を参照して説明する。
【００２０】
（第１の実施の形態）
まず、第１の実施の形態について説明する。図１に本実施の形態の弾性表面波フィルタの概略図を示す。
【００２１】
図１において、弾性表面波フィルタは、圧電基板１０１上に、第１、第２、第３のＩＤＴ電極１０２、１０３、１０４と第１、第２の反射器電極１０５、１０６とにより構成される。
【００２２】
すなわち、第１のＩＤＴ電極１０２の両側に第２のＩＤＴ電極１０３及び第３のＩＤＴ電極１０４が配置され、第２のＩＤＴ電極１０３の第１のＩＤＴ電極１０２が配置されている側とは反対側に反射器電極１０５が配置されており、また、第３のＩＤＴ電極１０４の第１のＩＤＴ電極１０２が配置されている側とは反対側に反射器電極１０６が配置されている。このように、第１、第２、第３のＩＤＴ電極１０２，１０３、１０４及び第１、第２の反射器電極１０５、１０６は、弾性表面波が伝搬する方向に沿って配置されている。
【００２３】
第２、第３のＩＤＴ電極１０３、１０４の上側の電極指はそれぞれ入力端子ＩＮに接続され、第２、第３のＩＤＴ電極１０３、１０４の下側の電極指はそれぞれ接地されている。また、第１のＩＤＴ電極１０２の下側の電極指は出力端子ＯＵＴに接続されており、第１のＩＤＴ電極１０２の上側の電極指は接地されている。
【００２４】
第１のＩＤＴ電極１０２の電極指本数は第２及び第３のＩＤＴ電極１０３、１０４の電極指本数よりも多く、第２のＩＤＴ電極１０３の電極指の本数と第３のＩＤＴ電極１０４の電極指の本数とは同じである。
【００２５】
また、第１のＩＤＴ電極１０２のピッチをＰ１、第２、第３のＩＤＴ電極１０３、１０４のピッチをＰ２とすると、Ｐ１＞Ｐ２の関係がある。
【００２６】
また、１波長内における電極指の幅の割合を示すメタライゼーションレシオηは、第１のＩＤＴ電極１０２と第２及び第３のＩＤＴ電極１０３、１０４とで同じ値を取る。
【００２７】
ここで、メタライゼーションレシオηは、次の数１で表される。
【００２８】
（数１）
η＝Ｌ／（Ｌ＋Ｓ）
ここで、Ｌは電極指の幅であり、Ｓはある電極指から次の電極指までの間隔である。
【００２９】
次に、このような本実施の形態の動作を説明する。
【００３０】
図２に、第１のＩＤＴ電極１０２の電極指の本数および第１のＩＤＴ電極１０２のメタライゼーションレシオηと、第１のＩＤＴ電極１０２の放射特性のピーク周波数との関係を示す。ここで放射特性のピーク周波数とは、放射特性のレベルが最大となる周波数を意味するものとする。すなわち、図２は、ピッチが一定とした場合に第１のＩＤＴ電極１０２の電極指の本数及び第１のＩＤＴ電極１０２のメタライゼーションレシオηがある値を取る場合に、第１のＩＤＴ電極１０２の放射特性を計測し、その放射特性のピーク周波数を求めてプロットしたものである。
【００３１】
上述したように、図２では、電極指ピッチは、第１のＩＤＴ電極の電極指の本数及び第１のＩＤＴ電極１０２のメタライゼーションレシオηが変わっても同じ値となるようにしている。
【００３２】
図２から明らかなように、第１のＩＤＴ電極１０２の電極指の本数が多くなるほど、第１のＩＤＴ電極１０２の放射特性のピーク周波数が高くなっている。また、第１のＩＤＴ電極１０２のメタライゼーションηが大きくなるほど、第１のＩＤＴ電極１０２の放射特性のピーク周波数が低くなっている。このように第１のＩＤＴ電極１０２の電極膜厚が同じ場合には、電極指本数が多くなるにつれてまたメタライゼーションηが小さくなるにつれて、第１のＩＤＴ電極１０２の放射特性のピーク周波数は高くなる。第２及び第３のＩＤＴ電極１０３、１０４についても第１のＩＤＴ電極１０２で見られた傾向と同様の傾向が見られる。
【００３３】
図４の４０１に、第１のＩＤＴ電極１０２の放射特性を示す。図４の４０１から明らかなように、第１のＩＤＴ電極１０２では、反射特性の影響により、その放射特性はピーク周波数に対して非対称な特性となっている。
【００３４】
また、図４の４０２に、第２のＩＤＴ電極１０３の放射特性を示す。第２のＩＤＴ電極１０３の放射特性も、反射特性の影響により、第１のＩＤＴ電極１０２と同様にその放射特性はピーク周波数に対して非対称な特性となっている。なお、第３のＩＤＴ電極１０４は第２のＩＤＴ電極１０３と電極指の本数が同じであるので、第３のＩＤＴ電極１０４の放射特性は第２のＩＤＴ電極１０３の放射特性と同一である。従って、第３のＩＤＴ電極１０４の放射特性も第２のＩＤＴ電極１０３の放射特性と同様に図４の４０２で示される。
【００３５】
一方、発明者は、図４に示すように、第１のＩＤＴ電極１０２の放射特性４０１のピーク周波数と第２及び第３のＩＤＴ電極１０３、１０４の放射特性４０２のピーク周波数とが等しくなるように弾性表面波フィルタを設計した場合に、弾性表面波フィルタの特性がより良好なものになるという事実を発見した。すなわち、第１のＩＤＴ電極１０２の放射特性４０１のピーク周波数と第２及び第３のＩＤＴ電極１０３、１０４の放射特性４０２のピーク周波数とが等しくなるように弾性表面波フィルタを設計した場合に、弾性表面波フィルタの特性は、より広帯域な減衰特性を有するものになるという事実を発見した。
【００３６】
上述したように、第１のＩＤＴ電極１０２の電極指本数は第２及び第３のＩＤＴ電極１０３、１０４の電極指本数よりも多い。従って、図２から明らかなように、第１のＩＤＴ電極１０２のピッチが第２及び第３のＩＤＴ電極１０３、１０４のピッチと同じ場合には、第１のＩＤＴ電極１０２の放射特性のピーク周波数は、第２及び第３のＩＤＴ電極１０３、１０４の放射特性のピーク周波数より高くなる。
【００３７】
ところが、図２から明らかなように、Ｐ１＞Ｐ２の関係とすることによって、第１のＩＤＴ電極１０２の放射特性のピーク周波数を第２、第３のＩＤＴ電極１０３、１０４の放射特性のピーク周波数とを一致させることができる。具体的にはＰ１＝Ｐ２の関係とした場合には約０．９％程度放射特性のピーク周波数がずれるが、Ｐ１＞Ｐ２の関係とすることにより０．５％程度から好ましくは０．１％程度放射特性のピーク周波数のずれを一致させることが可能である。すなわち、図１の弾性表面波フィルタを構成するＩＤＴ電極のうち、ＩＤＴ電極の電極指の本数がより多い方の電極指のピッチが電極指の本数が、より少ない方の電極指のピッチより大きいようにして調整することにより、それらのＩＤＴ電極の放射特性を一致させることが出来る。
【００３８】
以上の構成とすることにより、広帯域で急峻な減衰特性を有する弾性表面波フィルタを実現することができる。
【００３９】
なお、本実施の形態では、入力端子ＩＮは不平衡型端子であるとして説明したが、これに限らず、平衡型端子であっても構わない。
【００４０】
さらに、本実施の形態では、出力端子ＯＵＴは不平衡型端子であるとして説明したが、これに限らず、平衡型端子であっても構わない。
【００４１】
さらに、本実施の形態では、第２、第３のＩＤＴ電極１０３、１０４は入力端子ＩＮに接続されており、第１のＩＤＴ電極１０２は出力端子ＯＵＴに接続されているとして説明したが、これに限らず第２、第３のＩＤＴ電極１０３、１０４は出力端子ＯＵＴに接続されており、第１のＩＤＴ電極１０２は入力端子ＩＮに接続されていても構わない。
【００４２】
さらに、本実施の形態においては、第２のＩＤＴ電極と第３のＩＤＴ電極との電極指の本数が同じであるとしているが、これらが異なる場合には、それぞれのＩＤＴ電極において放射特性が一致するように調整すればよい。
【００４３】
（第２の実施の形態）
次に、第２の実施の形態について説明する。
【００４４】
図３に、本実施の形態の弾性表面波フィルタの概略図を示す。
【００４５】
図３において、圧電基板３０１上に、第１、第２、第３のＩＤＴ電極３０２、３０３、３０４と第１、第２の反射器電極３０５、３０６とにより第１のフィルタトラック３０７が構成される。すなわち、第１のＩＤＴ電極３０２の両側に第２のＩＤＴ電極３０３及び第３のＩＤＴ電極３０４が配置されており、第２のＩＤＴ電極３０３の第１のＩＤＴ電極３０２が配置されている側とは反対側に反射器電極３０５が配置されており、第３のＩＤＴ電極３０４の第１のＩＤＴ電極３０２が配置されている側とは反対側に反射器電極３０６が配置されている。
【００４６】
また、第４、第５、第６のＩＤＴ電極３０８、３０９、３１０と第１、第２の反射器電極３１１、３１２とにより第２のフィルタトラック３１３が構成される。すなわち第４のＩＤＴ電極３０８の両側に第５のＩＤＴ電極３０９及び第６のＩＤＴ電極３１０が配置されており、第５のＩＤＴ電極３０９の第４のＩＤＴ電極３０８が配置されている側とは反対側に反射器電極３１１が配置されており、第６のＩＤＴ電極３１０の第４のＩＤＴ電極３０８が配置されている側とは反対側に反射器電極３１２が配置されている。
【００４７】
第１のＩＤＴ電極３０２の上側の電極指は入力端子ＩＮに接続され、第２のＩＤＴ電極及び第３のＩＤＴ電極３０４の下側の電極指はそれぞれ第５のＩＤＴ電極３０９及び第６のＩＤＴ電極３１０の上側の電極指に接続される。また、第４のＩＤＴ電極３０８の上側の電極指は一方の出力端子ＯＵＴ１に接続され、第４のＩＤＴ電極３０８の下側の電極指は他方の出力端子ＯＵＴ２に接続される。
【００４８】
第１のＩＤＴ電極３０２と第４のＩＤＴ電極３０８とは電極指の本数が同じであり、第２のＩＤＴ電極３０３、及び第３のＩＤＴ電極３０４、及び第５のＩＤＴ電極３０９、及び第６のＩＤＴ電極３１０は、電極指の本数が同じである。
【００４９】
また、第１のＩＤＴ電極３０２及び第４のＩＤＴ電極３０８の電極指の本数は第２のＩＤＴ電極３０３、及び第３のＩＤＴ電極３０４、及び第５のＩＤＴ電極３０９、及び第６のＩＤＴ電極３１０の電極指本数よりも多い構成である。また、第１、第４のＩＤＴ電極３０２、３０８のピッチをＰ１、第２、第３、第５、第６のＩＤＴ電極３０３、３０４、３０９、３１０のピッチをＰ２とするとＰ１＞Ｐ２の関係がある。また、各ＩＤＴ電極のメタライゼーションレシオは同じ値である。以上により２段の縦モード型弾性表面波フィルタが構成される。
【００５０】
次に、このような本実施の形態の動作を説明する。
【００５１】
図８の（ａ）に、第１、第２のＩＤＴ電極３０２、３０３の放射特性を示す。１８０１は第１のＩＤＴ電極３０２の放射特性であり、１８０２は第２のＩＤＴ電極３０３の放射特性である。図８から明らかなように放射特性１８０１のピーク周波数と放射特性１８０２のピーク周波数とが一致している。このように第１の実施の形態と同様にＰ１＞Ｐ２の関係とすることにより、放射特性のピーク周波数ｆｐを第１のＩＤＴ電極３０２と第２のＩＤＴ電極３０３とで一致させることができる。同様にＰ１＞Ｐ２の関係とすることにより、第１のＩＤＴ電極３０２の放射特性のピーク周波数ｆｐを第３のＩＤＴ電極３０４の放射特性のピーク周波数ｆｐに一致させることが出来る。さらに、Ｐ１＞Ｐ２の関係とすることにより、第４のＩＤＴ電極３０８の放射特性のピーク周波数ｆｐを第５、第６のＩＤＴ電極３０９、３１０の放射特性のピーク周波数ｆｐに一致させることが出来る。
【００５２】
図８の（ｂ）に、本実施の形態の弾性表面波フィルタの通過特性を示す。１８０３ａ及び１８０３ｂはともに、本実施の形態の弾性表面波フィルタの通過特性である。１８０３ａは、本実施の形態の弾性表面波フィルタを０ｄＢから９０ｄＢ程度までの広い利得範囲で図示したものであり、１８０３ｂは、本実施の形態の弾性表面波フィルタの通過特性のうち、中心部分に着目して、０ｄＢから１０ｄＢ程度の狭い利得範囲で図示したものである。ｆｐはＩＤＴ電極の放射特性のピーク周波数であり、各ＩＤＴ電極の放射特性のピーク周波数ｆｐを通過帯域の左側すなわち、通過帯域の最低周波数で一致させた場合の弾性表面波フィルタの通過特性である。
【００５３】
これに対して図９の（ａ）に従来の弾性表面波フィルタの各ＩＤＴ電極の放射特性を示す。図９の（ａ）において、１９０１は、第１のＩＤＴ電極３０２及び第４のＩＤＴ電極３０８の放射特性である。また、１９０２は、第２のＩＤＴ電極３０３、第３のＩＤＴ電極３０４、第５のＩＤＴ電極３０９、及び第６のＩＤＴ電極３１０の放射特性である。すなわち、従来の弾性表面波フィルタの第１のＩＤＴ電極３０２及び第４のＩＤＴ電極３０８の放射特性のピーク周波数ｆｐ１と第２のＩＤＴ電極３０３、第３のＩＤＴ電極３０４、第５のＩＤＴ電極３０９、及び第６のＩＤＴ電極３１０の放射特性のピーク周波数ｆｐ２とは一致していない。
【００５４】
図９の（ｂ）にこのような弾性表面波フィルタの通過特性を示す。１９０３ａ及び１９０３ｂはともに、従来の弾性表面波フィルタの通過特性である。１９０３ａは、従来の弾性表面波フィルタを０ｄＢから９０ｄＢ程度までの広い利得範囲で図示したものであり、１９０３ｂは、従来の弾性表面波フィルタの通過特性のうち、中心部分に着目して、０ｄＢから１０ｄＢ程度の狭い利得範囲で図示したものである。
【００５５】
図８の（ｂ）の通過特性１８０３ｂは、図９の（ｂ）の通過特性１９０３ｂに比べて、通過帯域の左端の欠けが改善され、より広帯域になっている。すなわち、帯域の端でのロスの改善にもつながる。
【００５６】
このように、各ＩＤＴ電極の放射特性のピーク周波数を一致させることにより、より広帯域な特性を有する弾性表面波フィルタを実現することが出来る。
【００５７】
このように本実施の形態によれば、広帯域で急峻な減衰特性を有する弾性表面波フィルタを実現することができる。
【００５８】
なお、本実施形態においては、出力端子を平衡型としたが、第４のＩＤＴ電極の上下の電極指のどちらか一方を接地して不平衡型としても本発明の効果は同様に得られる。
【００５９】
（第３の実施の形態）
次に、第３の実施の形態について説明する。
【００６０】
図６に本実施の形態の弾性表面波フィルタ概略図を示す。図６において、弾性表面波フィルタは、圧電基板６０１上に、第１、第２、第３のＩＤＴ電極６０２、６０３、６０４と第１、第２の反射器電極６０５、６０６とにより構成される。
【００６１】
すなわち、第１のＩＤＴ電極６０２の両側に第２のＩＤＴ電極６０３及び第３のＩＤＴ電極６０４が配置され、第２のＩＤＴ電極６０３の第１のＩＤＴ電極６０２が配置されている側とは反対側に反射器電極６０５が配置されており、また、第３のＩＤＴ電極６０４の第１のＩＤＴ電極６０２が配置されている側とは反対側に反射器電極６０６が配置されている。
【００６２】
第２、第３のＩＤＴ電極６０３、６０４の上側の電極指はそれぞれ入力端子ＩＮに接続され、第２、第３のＩＤＴ電極６０３、６０４の下側の電極指はそれぞれ接地されている。また、第１のＩＤＴ電極６０２の下側の電極指は出力端子ＯＵＴに接続されており、第１のＩＤＴ電極６０２の上側の電極指は接地されている。
【００６３】
第１のＩＤＴ電極６０２の電極指本数は第２及び第３のＩＤＴ電極６０３、６０４の電極指本数よりも多く、第２のＩＤＴ電極６０３の電極指の本数と第３のＩＤＴ電極６０４の電極指の本数とは同じである。
【００６４】
また、第１のＩＤＴ電極６０２のピッチをＰ１、第２、第３のＩＤＴ電極６０３、６０４のピッチをＰ２とすると、Ｐ１＞Ｐ２の関係がある。
【００６５】
また、本実施の形態の弾性表面フィルタでは、第１のＩＤＴ電極６０２のメタライゼーションレシオと、第２、及び第３のＩＤＴ電極６０３、６０４のメタライゼーションレシオとは異なった値をとる。
【００６６】
次に、このような本実施の形態の動作を説明する。
【００６７】
図２に、第１のＩＤＴ電極６０２の電極指の本数およびメタライゼーションレシオと、第１のＩＤＴ電極６０２の放射特性のピーク周波数との関係を示す。すなわち、図２は、第１のＩＤＴ電極６０２の電極指の本数及び電極指ピッチがある値を取る場合に、第１のＩＤＴ電極６０２の放射特性のピーク周波数を計測してプロットしたものである。
【００６８】
図２から明らかなように、第１のＩＤＴ電極６０２の電極指の本数が多くなるほど、第１のＩＤＴ電極６０２の放射特性のピーク周波数が高くなっている。また、第１のＩＤＴ電極６０２のメタライゼーションレシオが大きくなるほど、第１のＩＤＴ電極６０２の放射特性のピーク周波数が低くなっている。このようにＩＤＴ電極６０２の電極膜厚がほぼ同じ場合には、電極指本数が多くなるにつれてまたメタライゼーションレシオが小さくなるにつれて、第１のＩＤＴ電極６０２の放射特性のピーク周波数は高くなる。第２及び第３のＩＤＴ電極６０３、６０４についても第１のＩＤＴ電極６０２で見られた傾向と同様の傾向が見られる。
【００６９】
上述したように、第１のＩＤＴ電極６０２の電極指本数は第２及び第３のＩＤＴ電極６０３、６０４の電極指本数よりも多い。従って、図２から明らかなように、第１のＩＤＴ電極６０２のメラライゼーションレシオが第２及び第３のＩＤＴ電極６０３、６０４のメタライゼーションレシオと同じ場合には、第１のＩＤＴ電極６０２の放射特性のピーク周波数は、第２及び第３のＩＤＴ電極６０３、６０４の放射特性のピーク周波数より高くなる。
【００７０】
ところが、上述したように、Ｐ１＞Ｐ２の関係とするとともに、第１のＩＤＴ電極６０２のメタライゼーションレシオと第２及び第３のＩＤＴ電極６０３、６０４メタライゼーションレシオとが異なった値になるようにすることによって第１のＩＤＴ電極６０２の放射特性のピーク周波数を第２、第３のＩＤＴ電極６０３、６０４の放射特性のピーク周波数とを一致させることができる。
【００７１】
このように本実施の形態では、第１のＩＤＴ電極６０２の放射特性のピーク周波数と第２、第３のＩＤＴ電極６０３、６０４の放射特性のピーク周波数とを、各ＩＤＴ電極のピッチ及び各ＩＤＴ電極のメタライゼーションレシオを調整することによって一致させることが出来る。各ＩＤＴ電極のメタライゼーションレシオをも調整するすなわち各ＩＤＴ電極の弾性表面波の励振強度及び反射量をも調整することにより、第１の実施の形態よりも設計の自由度が向上する。
【００７２】
なお、本実施の形態では、ピッチをＰ１＞Ｐ２の関係とすることによって調整したが、これに限らず、ピッチをＰ１＝Ｐ２の関係とし、メタライゼーションレシオで調整しても構わない。
【００７３】
以上の構成とすることにより、広帯域で急峻な減衰特性を有する弾性表面波フィルタを実現することができる。
【００７４】
なお、本実施の形態では、入力端子ＩＮは不平衡型端子であるとして説明したが、これに限らず、平衡型端子であっても構わない。
【００７５】
さらに、本実施の形態では、出力端子ＯＵＴは不平衡型端子であるとして説明したが、これに限らず、平衡型端子であっても構わない。
【００７６】
さらに、本実施の形態では、第２、第３のＩＤＴ電極６０３、６０４は入力端子ＩＮに接続されており、第１のＩＤＴ電極６０２は出力端子ＯＵＴに接続されているとして説明したが、これに限らず第２、第３のＩＤＴ電極６０３、６０４は出力端子ＯＵＴに接続されており、第１のＩＤＴ電極６０２は入力端子ＩＮに接続されていても構わない。
【００７７】
（第４の実施の形態）
次に、第４の実施の形態について説明する。
【００７８】
図７に、本実施の形態の弾性表面波フィルタの概略図を示す。
【００７９】
図７において、圧電基板７０１上に、第１、第２、第３のＩＤＴ電極７０２、７０３、７０４と第１、第２の反射器電極７０５、７０６とにより第１のフィルタトラック７０７が構成される。すなわち、第１のＩＤＴ電極７０２の両側に第２のＩＤＴ電極７０３及び第３のＩＤＴ電極７０４が配置されており、第２のＩＤＴ電極７０３の第１のＩＤＴ電極７０２が配置されている側とは反対側に反射器電極７０５が配置されており、第３のＩＤＴ電極７０４の第１のＩＤＴ電極７０２が配置されている側とは反対側に反射器電極７０６が配置されている。
【００８０】
また、第４、第５、第６のＩＤＴ電極７０８、７０９、７１０と第１、第２の反射器電極７１１、７１２とにより第２のフィルタトラック７１３が構成される。すなわち第４のＩＤＴ電極７０８の両側に第５のＩＤＴ電極７０９及び第６のＩＤＴ電極７１０が配置されており、第５のＩＤＴ電極７０９の第４のＩＤＴ電極７０８が配置されている側とは反対側に反射器電極７１１が配置されており、第６のＩＤＴ電極７１０の第４のＩＤＴ電極７０８が配置されている側とは反対側に反射器電極７１２が配置されている。
【００８１】
第１のＩＤＴ電極７０２の上側の電極指は入力端子ＩＮに接続され、第２のＩＤＴ電極及び第３のＩＤＴ電極７０４の下側の電極指はそれぞれ第５のＩＤＴ電極７０９及び第６のＩＤＴ電極７１０の上側の電極指に接続される。また、第４のＩＤＴ電極７０８の上側の電極指は一方の出力端子ＯＵＴ１に接続され、第４のＩＤＴ電極７０８の下側の電極指は他方の出力端子ＯＵＴ２に接続される。
【００８２】
第１のＩＤＴ電極７０２と第４のＩＤＴ電極７０８とは電極指の本数が同じであり、第２のＩＤＴ電極７０３、及び第３のＩＤＴ電極７０４、及び第５のＩＤＴ電極７０９、及び第６のＩＤＴ電極７１０は、電極指の本数が同じである。
【００８３】
また、第１のＩＤＴ電極７０２及び第４のＩＤＴ電極７０８の電極指の本数は第２のＩＤＴ電極７０３、及び第３のＩＤＴ電極７０４、及び第５のＩＤＴ電極７０９、及び第６のＩＤＴ電極７１０の電極指本数よりも多い構成である。また、第１のＩＤＴ電極７０２のピッチをＰ１１、第２、第３のＩＤＴ電極７０３、７０４のピッチをＰ１２とするとＰ１１＞Ｐ１２の関係を有する。また、第４のＩＤＴ電極７０８のピッチをＰ２１、第５、第６のＩＤＴ電極７０９、７１０のピッチをＰ２２とするとＰ２１＞Ｐ２２の関係を有する。
【００８４】
第１のフィルタトラック７０７において、第１のＩＤＴ電極７０２のメタライゼーションレシオη１１は、次の数２で表される。
【００８５】
（数２）
η１１＝Ｌ１１／（Ｌ１１＋Ｓ１１）
ここで、Ｌ１１は、第１のＩＤＴ電極７０２の電極指の幅であり、Ｓ１１は第１のＩＤＴ電極７０２のある電極指から次の電極指までの間隔である。
【００８６】
また、第２、第３のＩＤＴ電極７０３、７０４のメタライゼーションレシオη１２は次の数３で表される。
【００８７】
（数３）
η１２＝Ｌ１２／（Ｌ１２＋Ｓ１２）
ここで、Ｌ１２は、第２、第３のＩＤＴ電極７０３、７０４の電極指の幅であり、Ｓ１２は第２、第３のＩＤＴ電極７０３、７０４のある電極指から次の電極指までの間隔である。
【００８８】
一方第２のフィルタトラック７０８において、第４のＩＤＴ電極７０８のメタライゼーションレシオη２１は次の数４で表される。
【００８９】
（数４）
η２１＝Ｌ２１／（Ｌ２１＋Ｓ２１）
ここで、Ｌ２１は、第４のＩＤＴ電極７０８の電極指の幅であり、Ｓ２１は第４のＩＤＴ電極７０８のある電極指から次の電極指までの間隔である。
【００９０】
また、第５、第６のＩＤＴ電極７０９、７１０のメタライゼーションレシオη２２は次の数５で表される。
【００９１】
（数５）
η２２＝Ｌ２２／（Ｌ２２＋Ｓ２２）
ここで、Ｌ２２は、第５、第６のＩＤＴ電極の電極指の幅であり、Ｓ２２は第５、第６の電極指７０９、７１０のメタライゼーションレシオη２２のある電極指から次の電極指までの間隔である。
【００９２】
本実施の形態では、上記のη１１とη１２とが異なっており、また上記のη２１とη２２とが異なっている。
【００９３】
以上により２段の縦モード型弾性表面波フィルタが構成される。
【００９４】
次に、このような本実施の形態の動作を説明する。
【００９５】
本実施の形態の弾性表面波フィルタでは、上記実施の形態で詳細に説明したのと同様に、Ｐ１１＞Ｐ１２の関係とするとともに、η１１とη１２とが異なった値になるように調整することにより、放射特性のピーク周波数ｆｐを第１のＩＤＴ電極７０２と第２、及び第３のＩＤＴ電極７０３、７０４とで一致させている。
【００９６】
また、Ｐ２１＞Ｐ２２の関係とするとともに、η２１とη２２とが異なった値になるように調整することにより、放射特性のピーク周波数ｆｐを第４のＩＤＴ電極７０８と第５、及び第６のＩＤＴ電極７０９、７１０とで一致させている。
【００９７】
従って上記実施の形態と同様に、広帯域で急峻な減衰特性を有する弾性表面波フィルタを実現できる。
【００９８】
以上の構成とすることにより、広帯域で急峻な減衰特性を有する弾性表面波フィルタを実現することができる。
【００９９】
なお、本実施の形態ではＰ１１＞Ｐ１２の関係とするとともに、η１１とη１２とが異なった値になるように調整し、またＰ２１＞Ｐ２２の関係とするとともに、η２１とη２２とが異なった値になるように調整するとして説明したが、これに限らず、Ｐ１１＞Ｐ１２及びＰ２１＞Ｐ２２の関係だけで調整することも可能である。また、Ｐ１１＝Ｐ１２及びＰ２１＝Ｐ２２としてメタライゼーションだけで調整することも可能である。
【０１００】
なお、本実施の形態においては、出力端子を平衡型としたが、第４のＩＤＴ電極７０８の上下の電極指のどちらか一方を接地して不平衡型としても本発明の効果は同様に得られる。
【０１０１】
（第５の実施の形態）
次に、第５の実施の形態について説明する。
【０１０２】
図１０に本実施の形態の弾性表面波フィルタの概略図を示す。
【０１０３】
図１０において、弾性表面波フィルタは、圧電基板１００１上に、第１、第２、第３のＩＤＴ電極１００２、１００３、１００４と第１、第２の反射器電極１００５、１００６とにより構成される。
【０１０４】
すなわち、第１のＩＤＴ電極１００２の両側に第２のＩＤＴ電極１００３及び第３のＩＤＴ電極１００４が配置され、第２のＩＤＴ電極１００３の第１のＩＤＴ電極１００２が配置されている側とは反対側に反射器電極１００５が配置されており、また、第３のＩＤＴ電極１００４の第１のＩＤＴ電極１００２が配置されている側とは反対側に反射器電極１００６が配置されている。このように、第１、第２、第３のＩＤＴ電極１００２，１００３、１００４及び第１、第２の反射器電極１００５、１００６は、弾性表面波が伝搬する方向に沿って配置されている。
【０１０５】
第２、第３のＩＤＴ電極１００３、１００４の上側の電極指はそれぞれ入力端子ＩＮに接続され、第２、第３のＩＤＴ電極１００３、１００４の下側の電極指はそれぞれ接地されている。また、第１のＩＤＴ電極１００２の下側の電極指は出力端子ＯＵＴに接続されており、第１のＩＤＴ電極１００２の上側の電極指は接地されている。
【０１０６】
第１のＩＤＴ電極１００２の電極指本数は第２及び第３のＩＤＴ電極１００３、１００４の電極指本数よりも多く、第２のＩＤＴ電極１００３の電極指の本数と第３のＩＤＴ電極１００４の電極指の本数とは同じである。
【０１０７】
また、第１のＩＤＴ電極１００２の１ａで示す領域のピッチをＰ１とすると、Ｐは１／２波長の長さである。また、１ｂで示す領域のピッチをＰ１’とすると、Ｐ’は１／２波長より狭い。ピッチＰを有する領域１ａはピッチＰ’を有する領域１ｂより本数が多く、従って、第１のＩＤＴ電極１００２では１ａで示す領域が主励振領域である。
【０１０８】
第２のＩＤＴ電極１００３の２ａで示す領域のピッチをＰ２とすると、Ｐ２は１／２波長の長さである。また、２ｂで示す領域のピッチをＰ２’とすると、Ｐ２’は１／２波長より狭い。ピッチＰを有する領域２ａはピッチＰ’を有する領域２ｂより本数が多く、従って、第２のＩＤＴ電極１００３では２ａで示す領域が主励振領域である。
【０１０９】
また、第３のＩＤＴ電極１００４の３ａで示す領域のピッチはＰ２であり、Ｐは１／２波長の長さである。また３ｂで示す領域のピッチはＰ２’であり、Ｐ２’は１／２波長よりも狭い長さである。ピッチＰ２を有する領域３ａはピッチＰ２’を有する領域３ｂよりも本数が多く従って、第３のＩＤＴ電極１００４では３ａで示す領域が主励振領域である。
【０１１０】
このように第１のＩＤＴ電極１００２、第２のＩＤＴ電極１００３、第３のＩＤＴ電極１００４のそれぞれは、同じＩＤＴ電極で電極指のピッチが異なっている。
【０１１１】
また、ピッチＰ１とピッチＰ２との関係がＰ１＞Ｐ２を満足することにより第１の実施の形態と同等の効果を得ることが出来る。
【０１１２】
また、ピッチＰ１とピッチＰ２との関係がＰ１＞Ｐ２を満足する場合には、ピッチＰ１’及びピッチＰ２’の関係はＰ１’＞Ｐ２’を満足しても構わないし、また、Ｐ１’＝Ｐ２’を満足しても構わない。この場合Ｐ１’＞Ｐ２’を満足する方がＰ１’＝Ｐ２’を満足する場合よりも、隣り合う電極指の不連続性を小さく出来、挿入損失の劣化を抑えることが出来る。
【０１１３】
なお、本実施の形態ではＰ１＞Ｐ２を満足するとして説明したが、図１０で１ａの領域と２ａの領域及び３ａの領域それぞれの放射特性のピーク周波数が一致するようにＰ１及びＰ２を調整しても構わない。また、第１のＩＤＴ電極１００２、第２のＩＤＴ電極１００３、及び第３のＩＤＴ電極１００４のそれぞれのＩＤＴ電極で放射特性が一致するように、ピッチＰ１、Ｐ１’、Ｐ２、Ｐ２’を調整することが望ましい。また、これらの場合に第２、第３のＩＤＴ電極１００３、１００４のピッチＰ２、Ｐ２’は必ずしも同じである必要はない。
【０１１４】
このように一つのＩＤＴ電極の電極指のピッチが異なる場合、主励振領域にある主励振電極のピッチを基準にすれば上記各実施の形態を適用することが出来る。
【０１１５】
以上の構成とすることにより、広帯域で急峻な減衰特性を有する弾性表面波フィルタを実現することができる。
【０１１６】
なお、本実施の形態では、入力端子ＩＮは不平衡型端子であるとして説明したが、これに限らず、平衡型端子であっても構わない。
【０１１７】
さらに、本実施の形態では、出力端子ＯＵＴは不平衡型端子であるとして説明したが、これに限らず、平衡型端子であっても構わない。
【０１１８】
さらに、本実施の形態では、第２、第３のＩＤＴ電極１００３、１００４は入力端子ＩＮに接続されており、第１のＩＤＴ電極１００２は出力端子ＯＵＴに接続されているとして説明したが、これに限らず第２、第３のＩＤＴ電極１００３、１００４は出力端子ＯＵＴに接続されており、第１のＩＤＴ電極１００２は入力端子ＩＮに接続されていても構わない。
【０１１９】
（第６の実施の形態）
次に、第６の実施の形態について説明する。
【０１２０】
図１１に本実施の形態の弾性表面波フィルタの概略図を示す。
【０１２１】
図１１において、弾性表面波フィルタは、圧電基板１０１上に、第１、第２、第３、第４、第５のＩＤＴ電極１１０２、１１０３、１１０４、１１０５、１１０６と第１、第２の反射器電極１１０７、１１０８とにより構成される。
【０１２２】
すなわち、第１のＩＤＴ電極１１０２の両側に第２のＩＤＴ電極１１０３及び第３のＩＤＴ電極１１０４が配置され、第３のＩＤＴ電極１１０４の第１のＩＤＴ電極１１０２の側とは反対側に第５のＩＤＴ電極１１０６が配置され、第２のＩＤＴ電極１１０３の第１のＩＤＴ電極１１０２の側とは反対側に第４のＩＤＴ電極１１０５が配置されており、第４のＩＤＴ電極１１０５の外側に第１の反射器電極１１０７が配置されており、第５のＩＤＴ電極１１０６の外側に第２の反射器電極１１０８が配置されている。
【０１２３】
このように、第１、第２、第３、第４、及び第５のＩＤＴ電極１１０２，１１０３、１１０４、１１０５、１１０６、及び第１、第２の反射器電極１１０７、１１０８は、弾性表面波が伝搬する方向に沿って配置されている。
【０１２４】
第２、第３のＩＤＴ電極１１０３、１１０４の下側の電極指はそれぞれ出力端子ＯＵＴに接続され、第２、第３のＩＤＴ電極１０３、１０４の上側の電極指はそれぞれ接地されている。また、第１、第４、第５のＩＤＴ電極１１０２、１１０５、１１０６の上側の電極指は入力端子ＩＮに接続されており、第１、第４、第５のＩＤＴ電極１１０２、１１０５、１１０６の下側の電極指は接地されている。
【０１２５】
第１のＩＤＴ電極１１０２の電極指本数は第２及び第３のＩＤＴ電極１１０３、１１０４の電極指本数よりも多く、第２のＩＤＴ電極１１０３の電極指の本数と第３のＩＤＴ電極１１０４の電極指の本数とは同じである。また、第４、第５のＩＤＴ電極１１０５、１１０６の電極指の本数は第２のＩＤＴ電極１１０３、第３のＩＤＴ電極１１０４の本数よりも少なく、第４のＩＤＴ電極１１０５と第５のＩＤＴ電極１１０６との電極指の本数は同じである。
【０１２６】
また、第１のＩＤＴ電極１１０２のピッチをＰ１、第２、第３のＩＤＴ電極１１０３、１１０４のピッチをＰ２、第４、第５のＩＤＴ電極１１０５、１１０６のピッチをＰ３とすると、Ｐ１＞Ｐ２＞Ｐ３の関係がある。すなわち、本実施の形態の弾性表面波フィルタを構成するＩＤＴ電極のうち、ＩＤＴ電極の電極指の本数がより多い方の電極指のピッチが電極指の本数が、より少ない方の電極指のピッチより大きいという関係がある。
【０１２７】
また、１波長内における電極指の幅の割合を示すメタライゼーションレシオηは、第１、第２、第３、第４、及び第５のＩＤＴ電極１１０２、１１０３、１１０４、１１０５、１１０６で同じ値を取る。
【０１２８】
ここで、メタライゼーションレシオηは、第１の実施の形態で説明した数１で表される。
【０１２９】
次に、このような本実施の形態の動作を説明する。
【０１３０】
第１の実施の形態で説明したように第１のＩＤＴ電極１１０２の電極指の本数が多くなるほど、第１のＩＤＴ電極１１０２の放射特性のピーク周波数が高くなっている。また、第１のＩＤＴ電極１１０２のメタライゼーションηが大きくなるほど、第１のＩＤＴ電極１０２の放射特性のピーク周波数が低くなっている。このように第１のＩＤＴ電極１１０２の電極膜厚が同じ場合には、電極指本数が多くなるにつれてまたメタライゼーションηが小さくなるにつれて、第１のＩＤＴ電極１１０２の放射特性のピーク周波数は高くなる。第２、第３、第４、第５のＩＤＴ電極１１０３、１１０４、１１０５、１１０６についても第１のＩＤＴ電極１１０２で見られた傾向と同様の傾向が見られる。
【０１３１】
従って上述したように第１のＩＤＴ電極１１０２のピッチをＰ１、第２、第３のＩＤＴ電極１１０３、１１０４のピッチをＰ２、第４、第５のＩＤＴ電極１１０５、１１０６のピッチをＰ３とした場合に、Ｐ１＞Ｐ２＞Ｐ３の関係が成り立つので、第１、第２、第３、第４、第５のＩＤＴ電極１１０２、１１０３、１１０４、１１０５、１１０６の放射特性のピーク周波数を一致させることが出来る。
【０１３２】
すなわち、第１、第２、第３、第４、第５のＩＤＴ電極１１０２、１１０３、１１０４、１１０５、１１０６の放射特性のピーク周波数が一致するので、本実施の形態の弾性表面波フィルタの特性は、より広帯域な減衰特性を有するものになる。
【０１３３】
すなわち、以上の構成とすることにより、広帯域で急峻な減衰特性を有する弾性表面波フィルタを実現することができる。
【０１３４】
なお、本実施の形態では、入力端子ＩＮは不平衡型端子であるとして説明したが、これに限らず、平衡型端子であっても構わない。
【０１３５】
さらに、本実施の形態では、出力端子ＯＵＴは不平衡型端子であるとして説明したが、これに限らず、平衡型端子であっても構わない。
【０１３６】
なお、第１〜第５のＩＤＴ電極の本数の関係もそれに限るものでなく、フィルタ特性に応じて最適化されるものである。
【０１３７】
さらに、本実施の形態では、第２、第３のＩＤＴ電極１１０３、１１０４は出力端子ＯＵＴに接続されており、第１、第４、第５のＩＤＴ電極１１０２、１１０５、１１０６は入力端子ＩＮに接続されているとして説明したが、これに限らず第２、第３のＩＤＴ電極１１０３、１１０４は入力端ＩＮに接続されており、第１、第４、第５のＩＤＴ電極１０２、１１０５、１１０６は出力端子ＯＵＴに接続されていても構わない。
【０１３８】
なお、本実施の形態では、各ＩＤＴ電極の電極指のピッチを調整する場合や各ＩＤＴ電極のピッチ及びメタライゼーションレシオを調整する場合について説明したが、これに限らず、以下のようにして各ＩＤＴ電極の放射特性のピーク周波数を一致させることもできる。
【０１３９】
すなわち、ＩＤＴ電極の膜厚を厚くするほど、ＩＤＴ電極の放射特性のピーク周波数は低くなることが解っている。従って第１のＩＤＴ電極の膜厚と、第２及び第３のＩＤＴ電極の膜厚とを異ならせることによって各ＩＤＴ電極の放射特性のピーク周波数を一致させるように調整することも出来る。
【０１４０】
また、ＩＤＴ電極の材料を変えることによってＩＤＴ電極の放射特性のピーク周波数が変化することが解っている。従って、第１のＩＤＴ電極の材料と、第２及び第３のＩＤＴ電極の材料とを異ならせることによって各ＩＤＴ電極の放射特性のピーク周波数を一致させるように調整することも出来る。
【０１４１】
また、ＩＤＴ電極のメタライゼーションレシオが大きくなればなるほど、ＩＤＴ電極の放射特性のピーク周波数は低くなることが解っている。従って、第１のＩＤＴ電極のメタライゼーションレシオと、第２及び第３のＩＤＴ電極のメタライゼーションレシオとを異ならせることによって各ＩＤＴ電極の放射特性のピーク周波数を一致させるように調整することも出来る。
【０１４２】
また、以上説明した方法を任意に組合わせて各ＩＤＴ電極の放射特性のピーク周波数を一致させるように調整することも出来る。
【０１４３】
また、第１〜４の各実施の形態では、第２、及び第３のＩＤＴ電極の電極指の本数が同数であるとして説明したが、これに限らず、第２、及び第３のＩＤＴ電極の電極指の本数が同数でない場合であっても、放射特性のピーク周波数が同じになるように電極指ピッチが調整されていれば、第１〜４の各実施の形態と同様の効果を得ることが出来る。
【０１４４】
さらに、本発明の弾性表面波フィルタを送信回路や受信回路の一部に用いている通信機器も本発明に属する。このような通信機器としては、例えば携帯電話端末、携帯電話端末の基地局、自動車電話端末、ＰＨＳ、レーダ装置などがある。
【０１４５】
さらに、圧電基板と、前記圧電基板上に配置された、入力用ＩＤＴ電極と、前記圧電基板上に配置された出力用ＩＤＴ電極とを備えた弾性表面波フィルタを製造する弾性表面波フィルタ製造方法であって、前記入力用ＩＤＴ電極の放射特性のピーク周波数と、前記出力用ＩＤＴ電極の放射特性のピーク周波数とを実質上等しくする弾性表面波フィルタ製造方法も本発明に属する。
【０１４６】
さらに、圧電基板と、前記圧電基板上に配置された、入力用ＩＤＴ電極と、前記圧電基板上に配置された、出力用ＩＤＴ電極とを備えた弾性表面波フィルタを製造する弾性表面波フィルタ製造方法であって、前記入力用ＩＤＴ電極の電極指のピッチと前記出力用ＩＤＴ電極の電極指のピッチとを異ならせる弾性表面波フィルタ製造方法も本発明に属する。
【０１４７】
さらに、本発明の出力用ＩＤＴ電極は、本実施の形態における図１や図６で説明した弾性表面波フィルタの第１のＩＤＴ電極や、図３や図７で説明した弾性表面波フィルタの第４、第５、第６のＩＤＴフィルタに限らない。また、本発明の入力用ＩＤＴ電極は、本実施の形態における図１や図６で説明した弾性表面波フィルタの第２及び第３のＩＤＴ電極や、図３や図７で説明した弾性表面波フィルタの第１、第２、第３のＩＤＴ電極に限らない。
【０１４８】
さらに、本実施の形態では、入力ＩＤＴ電極、及び出力ＩＤＴ電極が３個のＩＤＴ電極から構成されている場合、及び５個のＩＤＴ電極から構成されている場合について説明したが、これに限らず、入力ＩＤＴ電極、及び出力ＩＤＴ電極は、２個のＩＤＴ電極、４個のＩＤＴ電極、７個のＩＤＴ電極、あるいはそれ以上のＩＤＴ電極から構成されていても構わない。
【０１４９】
なお、本実施の形態においては、第２のＩＤＴ電極と第３のＩＤＴ電極との電極指の本数が同じであり、また第４のＩＤＴ電極と第５のＩＤＴ電極との電極指の本数が同じであるとしているが、これらが異なる場合には、それぞれのＩＤＴ電極において放射特性が一致するように調整すればよい。
【産業上の利用可能性】
【０１５０】
本発明に係る弾性表面波フィルタは、さらに広帯域でかつ帯域外では急峻な減衰特性を有するという効果を有し、縦モード型の弾性表面波フィルタ等に有用である。
【図面の簡単な説明】
【０１５１】
【図１】本発明の第１の実施の形態における弾性表面波フィルタの構成図
【図２】放射特性のピーク周波数と電極指本数の関係を示す図
【図３】本発明の第２の実施の形態における弾性表面波フィルタの構成図
【図４】本発明の第１、３の実施の形態におけるＩＤＴ電極の放射特性図
【図５】本発明の第１、３の実施の形態における弾性表面波フィルタの通過特性図
【図６】本発明の第３の実施の形態における弾性表面波フィルタの構成図
【図７】本発明の第４の実施の形態における弾性表面波フィルタの構成図
【図８】（ａ）本発明の第２の実施の形態におけるＩＤＴ電極の放射特性の図  （ｂ）本発明の第２の実施の形態における弾性表面波フィルタの通過特性図
【図９】（ａ）ＩＤＴ電極の放射特性ピーク周波数が一致していない従来の弾性表面波フィルタにおけるＩＤＴ電極の放射特性図  （ｂ）（ａ）の弾性表面波フィルタの通過特性図
【図１０】本発明の第５の実施の形態における弾性表面波フィルタの構成図
【図１１】本発明の第６の実施の形態における弾性表面波フィルタの構成図
【図１２】従来の弾性表面波フィルタの構成図
【図１３】従来の弾性表面波フィルタの構成図
【符号の説明】
【０１５２】
１０１  圧電基板
１０２  第１のＩＤＴ電極
１０３  第２のＩＤＴ電極
１０４  第３のＩＤＴ電極
１０５  反射器電極
１０６  反射器電極
３０１  圧電基板
３０２  第１のＩＤＴ電極
３０３  第２のＩＤＴ電極
３０４  第３のＩＤＴ電極
３０５  反射器電極
３０６  反射器電極
３０７  フィルタトラック
３０８  第４のＩＤＴ電極
３０９  第５のＩＤＴ電極
３１０  第６のＩＤＴ電極
３１１  反射器電極
３１２  反射器電極
３１３  フィルタトラック
６０１  圧電基板
６０２  第１のＩＤＴ電極
６０３  第２のＩＤＴ電極
６０４  第３のＩＤＴ電極
６０５  反射器電極
６０６  反射器電極
７０１  圧電基板
７０２  第１のＩＤＴ電極
７０３  第２のＩＤＴ電極
７０４  第３のＩＤＴ電極
７０５  反射器電極
７０６  反射器電極
７０７  フィルタトラック
７０８  第４のＩＤＴ電極
７０９  第５のＩＤＴ電極
７１０  第６のＩＤＴ電極
７１１  反射器電極
７１２  反射器電極
７１３  フィルタトラック
【図１】
2004336824.tif 000003
【図２】
2004336824.tif 000004
【図３】
2004336824.tif 000005
【図４】
2004336824.tif 000006
【図５】
2004336824.tif 000007
【図６】
2004336824.tif 000008
【図７】
2004336824.tif 000009
【図８】
2004336824.tif 000010
【図９】
2004336824.tif 000011
【図１０】
2004336824.tif 000012
【図１１】
2004336824.tif 000013
【図１２】
2004336824.tif 000014
【図１３】
2004336824.tif 000015